(57)【要約】【課題】弾性材料によって形成された本体部の硬さの分布状態を容易かつ迅速に調整できるマットレス装置を提供することにある。【解決手段】弾性材料によって平面形状が矩形状に形成され厚さ方向の中途部で上部材２と下部材３に分割された本体部１と、本体部の上部材の下面と下部材の下面に、本体部の幅方向に沿うとともに長手方向に所定間隔で対応して形成された複数の収容凹部２ａ，３ａと、複数の収容凹部に選択的に収容され本体部が利用者に与える硬さを調整する硬さの異なる複数種の硬さ調整部材５ａ〜５ｃと、本体部を収容した袋状の外装体４を具備する。【選択図】図２
2013240479.tif 000002
【特許請求の範囲】
【請求項１】
上面に利用者が仰臥若しくは横臥して利用するマットレス装置であって、
弾性材料によって平面形状が矩形状に形成され厚さ方向の中途部で上部材と下部材に分割された本体部と、
この本体部の上記上部材の下面と下部材の下面に、上記本体部の幅方向に沿うとともに長手方向に所定間隔で対応して形成された複数の収容凹部と、
複数の収容凹部に選択的に収容され上記本体部が利用者に与える硬さを調整する硬さの異なる複数種の硬さ調整部材と、
上記本体部を収容した袋状の外装体と
を具備したことを特徴とするマットレス装置。
【請求項２】
上記硬さ調整部材は、種類に応じて色分けされていることを特徴とする請求項１記載のマットレス装置。
【請求項３】
上記本体部に加わる利用者の体圧分布に応じて複数の上記収容凹部に収容される上記硬さ調整部材の種類毎の配置状態を示す表示手段を備えていることを特徴とする請求項１又は請求項２記載のマットレス装置。
【請求項４】
上記表示手段は上記本体部に一体或いは別体に設けられていることを特徴とする請求項３記載のマットレス装置。
【請求項５】
上記本体部の上記上部材と下部材には、長手方向の所定の位置に幅方向に沿う複数のスリットが形成されていることを特徴とする請求項１乃至請求項４のいずれかに記載のマットレス装置。
【請求項６】
上記外装体は、上側部分と下側部分に分割されていて、上記上側部分と下側部分刃ファスナによって開閉可能に連結されていることを特徴とする請求項１乃至請求項４のいずれかに記載のマットレス装置。
【発明の詳細な説明】
【技術分野】
【０００１】
この発明はウレタンフォームなどの弾性材料によって形成された本体部を有するマットレス装置に関する。
【背景技術】
【０００２】
一般に、ベッド装置はベッドフレームを有し、このベッドフレームには床板が設けられ、この床板の上面にはマットレス装置が載置される。マットレス装置としては種々の構成のものが知られており、その１つとしてウレタンフォームなどの弾性材料によって平面形状が矩形状となるよう形成された本体部を、布地を袋状に縫製した外装体に収容した構成のものが知られている。
【０００３】
上記構成のマットレス装置によると、上記本体部が全体にわたって一様な硬さ、つまりクッション性を有することになる。そのため、利用者が上記マットレス装置の上面に横たわって利用すると、臀部や腰部などの身体の重い部分が他の部分に比べて大きく沈むため、寝心地が低下するということがあった。
【０００４】
そこで、上記本体部を長手方向に沿って硬さの異なる複数の弾性材で形成することで、上記本体部上に横たわった利用者を、身体の重い部分が他の部分に比べて大きく沈むことがないよう支えることができるようにしたマットレス装置が開発されている。
【０００５】
しかしながら、このような構成によると、上記本体部を長手方向に沿って硬さの異なる複数の弾性材で形成しているため、利用者の身長や体重などの体格が異なると、身体の重い部分を上記本体部の硬い弾性材によって形成された部分で支持できなくなるということがある。
【０００６】
しかも、利用者の体格の差異、好み、或いは寝姿勢が仰向きか、或いは横向きかの違いなどに応じて、上記本体部の硬さの分布状態を変えることができないということもあった。
【０００７】
そこで、弾性材料によって形成された平面形状が矩形状の本体部の幅方向に沿う、断面形状が逆Ｔ字状の挿入溝を、上記本体部の長手方向に所定間隔で複数設け、各挿入溝に、挿入溝の断面形状と対応する断面形状に形成された、硬さの異なる調整素材を選択的に挿入することで、利用者の体格や寝姿勢などに応じて上記本体部の硬さの分布状態を変えることができるようにしたマットレス装置が開発されている。
【先行技術文献】
【特許文献】
【０００８】
【特許文献１】実開平２−１２５６７０号公報
【特許文献２】特開２００４−４９４１５号公報
【発明の概要】
【発明が解決しようとする課題】
【０００９】
ところで、上記本体部や上記調整素材は通常、ウレタンフォームなどの弾性材料によって形成されている。この種の弾性材料は表面の摩擦係数が高く、しかも摩擦によって表面が損傷し易い。
【００１０】
そのため、上記調整素材を上記本体部に形成された挿入溝に挿入する場合、上記挿入溝の長手方向の一端開口から、上記調整素材の長手方向の一端を挿入して上記挿入溝に引き込むようにすると、上記挿入溝に対する上記調整素材の装着が容易でないばかりか、上記調整素材を損傷させてしまうということがある。同様に、挿入溝に挿入された調整部材を硬さの異なるものに交換する際、上記挿入溝からの調整部材の取り外しも容易ではないということがある。
【００１１】
上記挿入溝は上記本体部の上面に幅方向全長にわたって開口した開口溝部を有する。そのため、上記調整素材を弾性変形させて上記開口溝部から上記挿入溝に押し込んだり、装着された調整部材を取外すということも考えられる。
【００１２】
しかしながら、上記調整素材を弾性変形させて上記挿入溝に押し込んだり、同様に上記挿入溝に装着された上記調整素材を弾性変形させて取り出さなければならないから、その場合にも上記挿入溝に対する上記調整素材の着脱が容易でないばかりか、上記調整素材を損傷させてしまうということがある。
【００１３】
つまり、従来、上記本体部の硬さの分布状態を、利用者の体格などに応じて調整できるようにしたマットレス装置はあるものの、上記本体部の硬さ調整を容易かつ迅速に行なうことができる構成のものが開発されていなかった。
【００１４】
この発明は、本体部の硬さの分布状態を調整するための硬さ調整部材を、上記本体部に対して容易かつ迅速に着脱できるようにしたマットレス装置を提供することにある。
【課題を解決するための手段】
【００１５】
この発明は、上面に利用者が仰臥若しくは横臥して利用するマットレス装置であって、
弾性材料によって平面形状が矩形状に形成され厚さ方向の中途部で上部材と下部材に分割された本体部と、
この本体部の上記上部材の下面と下部材の下面に、上記本体部の幅方向に沿うとともに長手方向に所定間隔で対応して形成された複数の収容凹部と、
複数の収容凹部に選択的に収容され上記本体部が利用者に与える硬さを調整する硬さの異なる複数種の硬さ調整部材と、
上記本体部を収容した袋状の外装体と
を具備したことを特徴とするマットレス装置にある。
【００１６】
上記硬さ調整部材は、種類に応じて色分けされていることが好ましい。
【００１７】
上記本体部に加わる利用者の体圧分布に応じて複数の上記収容凹部に収容される上記硬さ調整部材の種類毎の配置状態を示す表示手段を備えていることが好ましい。
【００１８】
上記表示手段は上記本体部に一体或いは別体に設けられていることが好ましい。
【００１９】
上記本体部の上記上部材と下部材には、長手方向の所定の位置に幅方向に沿う複数のスリットが形成されていることが好ましい。
【００２０】
上記外装体は、上側部分と下側部分に分割されていて、上記上側部分と下側部分刃ファスナによって開閉可能に連結されていることが好ましい。
【発明の効果】
【００２１】
この発明によれば、本体部を厚さ方向の中途部で上部材と下部材に分割し、上記上部材の下面と下部材の上面に複数の収容凹部を対応して形成し、各収容凹部に硬さの異なる複数種の硬さ調整部材を選択的に収容し、上記本体部が利用者に与える硬さの分布状態を調整できるようにした。
【００２２】
そのため、上記本体部が上部材と下部材に分割されていることで、これら上部材と下部材の間に形成された収容凹部を開くことができるから、上記収容凹部に対する硬さ調整部材の着脱を容易かつ迅速に、しかも硬さ調整部材や本体部を損傷させることなく行なうことが可能となる。
【図面の簡単な説明】
【００２３】
【図１】この発明の一実施の形態を示すマットレス等の本体部の平面図。
【図２】外装体を断面して本体部を示す図。
【図３】（ａ）は下部材の上面の表示部を示す平面図、（ｂ）はその下部材の側面図。
【図４】仰向き寝に好適する状態で空間部に調整部材を収容した本体部の側面図。
【図５】横向き寝に好適する状態で空間部に調整部材を収容した本体部の側面図。
【発明を実施するための形態】
【００２４】
以下、この発明の一実施の形態を図面を参照しながら説明する。
【００２５】
図１と図２に示すマットレス装置Ｍは本体部１を備えている。この本体部１は平面形状が矩形状であって、厚さ方向の中途部で上部材２と下部材３との２つに分割されている。上記上部材２と下部材３はウレタンフォームなどの弾性材料によって形成されている。
【００２６】
図２に示すように、上記本体部１は布地を袋状に縫製した外装体４に収容されるようになっている。この外装体４は、上部分４ａと下部分４ｂとに分割されていて、上部分４ａと下部分４ｂは上記本体部１の外周面を被覆した部分の高さ方向中途部で、ファスナ４ｃによって分解可能に連結されている。つまり、上記外装体４は上記本体部１を出し入れ可能な構成となっている。
【００２７】
上記上部材２の下面と上記下部材３の上面には、それぞれ半円柱状の複数の収容凹部２ａ，３ａが幅方向全長にわたるとともに長手方向に対して所定間隔で対応して形成されている。それによって、図２に示すように上記上部材２を上記下部材３に重合された状態において、上記収容凹部２ａと上記収容凹部３ａとが円柱状の空間部Ｓを形成するようになっている。
【００２８】
重合された上記上部材２と上記下部材３の収容凹部２ａ，３ａがなす円柱状の空間部Ｓには、それぞれ異なる硬さの複数種、この実施の形態では３種類、つまり第１乃至第３の硬さ調整部材５ａ〜５ｃが、たとえば図２に示すように選択的に収容される。
【００２９】
各硬さ調整部材５ａ〜５ｃは、上記凹部２ａ，３ａがなす空間部Ｓと対応する円柱状に形成されていて、第１の調整部材５ａが最も硬く、ついで第２の調整部材５ｂ、第３の調整部材５ｃの順に硬さが設定されている。
【００３０】
上記本体部１の上記上部材２と上記下部材３は、上記第１の調整部材５ａよりもわずかに硬い弾性材料で形成されている。したがって、上記本体部１は、その空間部Ｓに第１乃至第３の硬さ調整部材５ａ〜５ｃが収容されていない状態が最も柔らかくなり、第１乃至第３の硬さ調整部材５ａ〜５ｃのどれが収容されるかによって、その硬さ調整部材の硬さに応じて硬さが調整されることになる。つまり、上記本体部１の上記空間部Ｓに対応する部分の硬さが調整部材の硬さによって調整される。
【００３１】
さらに、第１乃至第３の調整部材５ａ〜５ｃは異なる色彩によって着色された弾性材料によって形成されている。つまり、第１乃至第３の調整部材５ａ〜５ｃは色分けされている。この実施の形態では第１の調整部材５ａは青色、第２の調整部材５ｂは黄色、第３の調整部材５ｃは赤色に着色されている。したがって、第１乃至第３の調整部材５ａ〜５ｃをそれぞれの色彩によって視認できるようになっている。
【００３２】
なお、第１乃至第３の調整部材５ａ〜５ｃの色分けは、着色された弾性材料を用いてもよいが、同じ色彩の弾性材料で成形した後、塗料を塗布して着色してもよい。
【００３３】
上記上部材２の下面と、上記下部材３の上面との間に形成された対応する各収容凹部２ａ，３ａがなす上記空間部Ｓには、上記第１乃至第３の調整部材５ａ〜５ｃが利用者の寝姿勢や体格などに応じて後述するように選択的に収容される。それによって、上記本体部１の硬さの分布状態を調整できる。
【００３４】
上記上部材２の上面と、上記下部材３の下面の長手方向の一端部、中途部及び他端部の３箇所には、それぞれ幅方向全長にわたる複数のスリット６が長手方向に対して所定間隔で、しかも上記上部材２の上面と上記下部材３の下面にそれぞれ開放して形成されている。
【００３５】
上記上部材２の上面と上記下部材３の下面にスリット６を設けることで、上記外装体４に収容された本体部１、つまりマットレス装置Ｍを、上記スリット６の部分で屈曲させることができる。
【００３６】
そのため、上記マットレス装置Ｍを身体の不自由な利用者に好適する背上げ式のベッド装置に用いた場合、利用者が上半身を起こしたり、脚部を屈曲させるために床板を起上させたとき、それに応じて上記マットレス装置Ｍを容易に屈曲させることができるようになっている。
【００３７】
図３（ａ）、（ｂ）に示すように、上記下部材３の上面には、この上面に開放した各収容凹部３ａの幅方向一端側に、それぞれの収容凹部３ａに収容される上記調整部材５ａ〜５ｃの種類、つまり硬さの段階を示す硬、中、軟と、その硬さに対応する色彩が記載されたシール材７が貼着されている。上記シール材７は収容凹部３ａに収容される上記調整部材５ａ〜５ｃの種類を表示した表示手段としての表示部８を構成している。
【００３８】
この実施の形態では、上記表示部８の上記下部材３の上面の長手方向の一端に設けられたシール材７に、マットレス装置Ｍを利用する利用者の寝姿勢である、仰向き寝と横向き寝の表示があり、さらに各収容凹部３ａの幅方向一端側に設けられたシール材７には各寝姿勢を快適な状態とするために、各収容凹部３ａに収容するに好適する、標準的な上記調整部材５ａ〜５ｃの色彩と硬さが表示されている。
【００３９】
つまり、仰向き寝のときと、横向き寝のときでは本体部１の上面が受ける利用者の凹凸形状が異なるから、その凹凸形状の差に応じて利用者の身体を快適に支持するための適した各収容凹部３ａに収容される上記調整部材５ａ〜５ｃの種類が表示されている。
【００４０】
図４は表示部８の仰向き寝の表示に基づいて下部材３の収容凹部３ａに上記調整部材５ａ〜５ｃを選択的に収容した状態の本体部１を示し、図５は表示部８の横向き寝の表示に基づいて下部材３の収容凹部３ａに上記調整部材５ａ〜５ｃを選択的に収容した状態の本体部１を示している。
【００４１】
上記構成のマットレス装置Ｍによれば、本体部１を上部材２と下部材３とに分割し、これら上部材２と下部材３との間に調整部材５ａ〜５ｃを収容する収容凹部２ａ，３ａを対応して形成するようにした。
【００４２】
そのため、上下で対応する上記収容凹部２ａ，３ａがなす空間部Ｓに対して上記調整部材５ａ〜５ｃを着脱するには、外装体４のファスナ４ｃを外して本体部１から上部分４ａを取り外したならば、上記下部材３に対して上記上部材２を分離し、上記下部材３に形成された収容凹部３ａを開放する。
【００４３】
ついで、下部材３の各収容凹部３ａに設けられた表示部８を形成するシール材７の表示に基づいて上記調整部材５ａ〜５ｃのうち、最適な硬さの調整部材を各収容凹部３ａに収容する。
【００４４】
その後、上記下部材３に上部材４を重ね、この上部材４に被せられた外装体４の上部分４ａを、下部材３を被覆した下部分４ｂにファスナ４ｃによって連結することで、上記本体部１の硬さの分布状態を利用者の寝姿勢に好適するよう調整することができる。
【００４５】
したがって、上記調整部材５ａ〜５ｃを弾性変形させたり、上記上部材２や下部材３に対して強く擦ることなく、上記本体部１の空間部Ｓに着脱できるから、上記調整部材５ａ〜５ｃの着脱を容易かつ迅速に、しかも上記調整部材５ａ〜５ｃや本体部１を損傷させることなく行なうことができる。
【００４６】
上記下部材３の上面には表示部８が設けられている。具体的には、各収容凹部３ａの幅方向の一端側に、利用者の寝姿勢に応じて各収容凹部３ａに収容される標準的な調整部材５ａ〜５ｃの種類を表示したシール材７が設けられている。
【００４７】
そのため、寝姿勢が仰向きである利用者が横向きで寝る場合や利用者が変わって寝姿勢が変わる場合など、上記下部材３の各収容凹部３ａに収容する調整部材５ａ〜５ｃの種類を、上記シール材７の表示に基づいて変更すればよい。
【００４８】
そのため、寝姿勢の変更に応じた上記調整部材５ａ〜５ｃの変更を、上記シール材７の表示に基づいて容易に行なうことができる。しかも、上記調整部材５ａ〜５ｃはそれぞれの種類に応じて色分けされ、上記シール材７には上記調整部材５ａ〜５ｃの硬さだけでなく、色彩が記載されているから、そのことによっても上記調整部材５ａ〜５ｃの種類の変更を容易に、しかも確実に行なうことが可能となる。
【００４９】
上記表示部８は利用者の寝姿勢の変化、つまり仰向き寝のときと、横向き寝のときとの体圧分布に応じて収容凹部２ａ，３ａに設けられる調整部材５ａ〜５ｃの種類を設定しているが、他の表示を行うようにしてもよい。
【００５０】
たとえば、利用者が寝姿勢が仰向き寝の場合であって、利用者の身長と体重が異なる場合、利用者の身長と体重による体圧の分布状態に応じて本体部１の空間部Ｓに収容される調整部材５ａ〜５ｃの種類を上記表示部８のシール材７に表示するようにしてもよい。
【００５１】
上記表示部８は本体部１の下部材３の上面に設けたが、上記シール材７を下部材３の側面に設けたり、シール材７に代わって  図３（ａ）に示す表示状態を１枚のカードに表示し、そのカードを外装体４に紐などで連結しておいてもよく、要は種々の条件に応じて本体部１の空間部Ｓに収容する標準的な硬さの調整部材５ａ〜５ｃの種類が分かるような状態であればよい。
【００５２】
上記一実施の形態では本体部の上部材と下部材を分離した例を挙げて説明したが、上部材と下部材の幅方向一端或いは長手方向の一端或いは両端を連結した構成であってもよい。
【００５３】
つまり、上部材と下部材の幅方向一端或いは長手方向の一端を連結した構成であれば、下部材に対して上部材を開くことができるから、下部材の収容凹部に調整部材を収容することができ、上部材と下部材の長手方向の両端を連結した構成であれば、下部材の上面から上部材が離間するよう変形させて下部材の収容凹部に調整部材を収容することができる。つまり、上部材と下部材は収容凹部に調整部材を収容することができるよう、分割された構成であればよい。
【符号の説明】
【００５４】
１…本体部、２…上部材、３…下部材、４…外装体、５ａ〜５ｃ…第１乃至第３の調整部材、６…スリット、７…シール材、８…表示部（表示手段）。
【図１】
2013240479.tif 000003
【図２】
2013240479.tif 000004
【図３】
2013240479.tif 000005
【図４】
2013240479.tif 000006
【図５】
2013240479.tif 000007